(57)【要約】【課題】情報の検索から機器制御までを一つの機器で一貫して行うことが出来る端末装置の実現。【解決手段】検索条件を入力する情報入力手段１と、データベース３と、検索条件に基づきデータベース３を検索し、検索結果を得る検索手段４と、検索結果を表示する情報表示手段２と、検索結果の中から一つ以上の検索結果を選択する選択手段１と、選択手段１で選択された指定内容を、チケット販売機などの供給装置に送り、供給装置の動作を指定する出力手段６とを備えた情報転送システム。【選択図】　図１
2004054927.tif 000002
【特許請求の範囲】
【請求項１】
検索条件を入力する情報入力手段と、
データベースと、
前記検索条件に基づき前記データベースを検索し、検索結果を得る検索手段と、
前記検索結果を表示する情報表示手段と、
前記検索結果の中から一つ以上の検索結果を選択する選択手段と、
前記選択手段で選択された指定内容を、供給装置に送り、供給装置の動作を指定する出力手段とを備えたことを特徴とする情報転送システム。
【請求項２】
前記情報入力手段と、前記前記情報表示手段と、前記選択手段と、前記出力手段とは、端末装置に一体的に備えられ、
前記データベースと、前記検索手段とは、管理装置に一体的に備えられていることを特徴とする請求項１記載の情報転送システム。
【請求項３】
前記端末装置は、着脱自在の記録媒体を装着する装着手段とを有し、
前記端末装置は、前記指定内容を前記記録媒体に格納し、
前記記録媒体が、前記供給装置に装着されると、前記記録媒体に記録されている前記指定内容が前記供給装置に読み取られ、前記指定した供給物が前記供給装置から供給されることを特徴とする請求項２記載の情報転送システム。
【請求項４】
前記端末装置が、前記供給装置に接近すると、前記出力手段は、前記供給装置に前記指定内容を送信し、前記供給装置は前記指定内容の供給物を供給することを特徴とする請求項２記載の情報転送システム。
【請求項５】
前記端末装置は、前記供給装置に着脱自在であり、
前記端末装置が、前記供給装置に装着されると、前記端末装置に記録されている前記指定内容が前記供給装置に読み取られ、前記指定した供給物が前記供給装置から供給されることを特徴とする請求項２記載の情報転送システム。
【請求項６】
前記端末手段は、移動体であることを特徴とする請求項３〜５のいずれかに記載の情報転送システム。
【請求項７】
前記検索手段は、形容詞及び／または形容動詞である感性語と感性を感じる程度を示す感性情報に基づき検索を行い、前記データベースには感性情報に基づく検索を行うための属性値が格納されていることを特徴とする請求項１〜６のいずれかに記載の情報転送システム。
【請求項８】
検索条件を入力する情報入力手段と、
前記検索条件に基づきデータベースを検索し、検索結果を得る検索手段からの検索結果を表示する情報表示手段と、
前記検索結果の中から一つ以上の検索結果を選択する選択手段と、
前記選択手段で選択された指定内容を、供給装置に送り、前記供給装置の動作を指定する出力手段を備えたことを特徴とする端末装置。
【請求項９】
前記検索は、形容詞及び／または形容動詞である感性語と感性を感じる程度を示す感性情報に基づく検索であり、前記データベースには感性情報に基づく検索を行うための属性値が格納されていることを特徴とする請求項８記載の端末装置。
【請求項１０】
前記供給装置は、有体物を供給する動作を行うことを特徴とする請求項１〜９のいずれかに記載の端末装置。
【請求項１１】
請求項１〜１０のいずれかに記載の端末装置または情報転送システムの各構成要素の全部または一部の機能をコンピュータに実行させるためのプログラムを格納していることを特徴とするプログラム記録媒体。
【発明の詳細な説明】
【０００１】
【発明の属する技術分野】
本発明は、カラオケやテレビ番組の予約情報、列車のチケットの予約情報、ホテルの宿泊の予約情報などの情報を端末装置で検索し、予約を実行する情報転送装置、情報転送システム、管理装置及びプログラム記録媒体に関するものである。
【０００２】
【従来の技術】
最近、パーソナルコンピュータ、ＰＤＡ、携帯電話などの情報通信機器が急速に普及し、ビジネスユース以外でも広く用いられるようになってきた。また、これらの普及に伴い情報通信を新しい情報を得るための手段としての利用も行われている。例えば、インターネット上の情報を表示するブラウザを搭載した情報通信機器を用いると、世界中の様々な情報を閲覧することが可能である。また、インターネット上には多くの検索サービスが存在し、この検索サービスを利用することにより、この情報通信機器上で様々な情報を検索し表示することが可能となっている。また携帯電話に関しては、特定の電話番号に電話するとさまざまな情報を得ることが出来るサービスが行われている。
【０００３】
【発明が解決しようとする課題】
しかしながら、上記の検索サービスにおいては、情報通信機器によってユーザの所望の情報を得ることができても、基本的には情報を得て、確認したり保存したりすることにとどまり、外部の機器に対して何かの予約をしたり、また外部の機器を制御したりすることは不可能である。例えば、テレビ番組の検索を行い興味のある番組を見つけたとしても、その番組の録画予約を行うためには、ビデオをユーザ自身が操作して録画するため、操作が煩雑であり、検索から機器制御まで一つの機器で一括して行えるシステムが必要とされる。
【０００４】
本発明は、情報通信機器を用いてユーザが得た所望の情報を用いて、何かの予約をしたり機器を制御したりすることが出来ないという課題を考慮し、情報の検索から機器制御までを一つの機器で一貫して行うことが出来る端末装置、情報転送転送システム、管理装置及びプログラム記録媒体を提供することを目的とするものである。
【０００５】
【課題を解決するための手段】
上述した課題を解決するために第１の本発明（請求項１に対応）は、検索条件を入力する情報入力手段と、
データベースと、
前記検索条件に基づき前記データベースを検索し、検索結果を得る検索手段と、
前記検索結果を表示する情報表示手段と、
前記検索結果の中から一つ以上の検索結果を選択する選択手段と、
前記選択手段で選択された指定内容を、供給装置に送り、供給装置の動作を指定する出力手段とを備えたことを特徴とする情報転送システムである。
【０００６】
また第２の本発明（請求項２に対応）は、前記情報入力手段と、前記前記情報表示手段と、前記選択手段と、前記出力手段とは、端末装置に一体的に備えられ、
前記データベースと、前記検索手段とは、管理装置に一体的に備えられていることを特徴とする第１の本発明の情報転送システムである。
【０００７】
また第３の本発明（請求項３に対応）は、前記端末装置は、着脱自在の記録媒体を装着する装着手段とを有し、
前記端末装置は、前記指定内容を前記記録媒体に格納し、
前記記録媒体が、前記供給装置に装着されると、前記記録媒体に記録されている前記指定内容が前記供給装置に読み取られ、前記指定した供給物が前記供給装置から供給されることを特徴とする第２の本発明の情報転送システムである。
【０００８】
また第４の本発明（請求項４に対応）は、前記端末装置が、前記供給装置に接近すると、前記出力手段は、前記供給装置に前記指定内容を送信し、前記供給装置は前記指定内容の供給物を供給することを特徴とする第２の発明の情報転送システムである。
【０００９】
また第５の本発明（請求項５に対応）は、前記端末装置は、前記供給装置に着脱自在であり、
前記端末装置が、前記供給装置に装着されると、前記端末装置に記録されている前記指定内容が前記供給装置に読み取られ、前記指定した供給物が前記供給装置から供給されることを特徴とする第２の発明の情報転送システムである。
【００１０】
また第６の本発明（請求項６に対応）は、前記端末手段は、移動体であることを特徴とする第３〜５のいずれかの本発明の情報転送システムである。
【００１１】
また第７の本発明（請求項７に対応）は、前記検索手段は、形容詞及び／または形容動詞である感性語と感性を感じる程度を示す感性情報に基づき検索を行い、前記データベースには感性情報に基づく検索を行うための属性値が格納されていることを特徴とする第１〜６のいずれかの本発明の情報転送システムである。
【００１２】
また第８の本発明（請求項８に対応）は、検索条件を入力する情報入力手段と、
前記検索条件に基づきデータベースを検索し、検索結果を得る検索手段からの検索結果を表示する情報表示手段と、
前記検索結果の中から一つ以上の検索結果を選択する選択手段と、
前記選択手段で選択された指定内容を、供給装置に送り、前記供給装置の動作を指定する出力手段を備えたことを特徴とする端末装置である。
【００１３】
また第９の本発明（請求項９に対応）は、前記検索は、形容詞及び／または形容動詞である感性語と感性を感じる程度を示す感性情報に基づく検索であり、前記データベースには感性情報に基づく検索を行うための属性値が格納されていることを特徴とする第８の本発明の端末装置である。
【００１４】
また第１０の本発明（請求項１０に対応）は、前記供給装置は、有体物を供給する動作を行うことを特徴とする第１〜９のいずれかの本発明の端末装置である。
【００１５】
また第１１の本発明（請求項１１に対応）は、第１〜９の本発明のいずれかの端末装置または情報転送システムの各構成要素の全部または一部の機能をコンピュータに実行させるためのプログラムを格納し、コンピュータで読みとり可能なことを特徴とするプログラム記録媒体である。
【００１６】
【発明の実施の形態】
以下に本発明の実施の形態について図面を参照しながら説明する。
【００１７】
（実施の形態１）
図１は、第１の実施の形態である情報転送装置のシステム構成図である。図１において、１は文字の入力、あるいは情報の選択、あるいは実行などの命令の入力の少なくとも１つ以上が入力可能である情報入力手段、２は情報入力手段１で入力された情報が表示され、また検索エンジン４による検索結果を表示する情報表示手段、３は検索の対象となるデータを記憶したデータベース、４は前記情報入力手段１によって入力された検索の条件に合致する情報を前記データベース３から検索する検索エンジン、５は前記検索エンジン４による検索結果あるいは検索結果情報を一意に特定する情報を記憶する情報記憶手段、６は前記情報記憶手段５に記憶している情報を出力する情報出力手段である。
【００１８】
また、５０は前記情報出力手段６を構成する情報出力端子である。
【００１９】
以上のように構成されたシステムが実行されるハードウェア構成を図２に示す。図２は基本的には汎用の計算機システムの構成と同じである。また、図１で示したシステムの構成部分と同一構成部分を含んでいるために、同一構成部分には同一番号を付して説明を省略する。
【００２０】
図２において、１は情報入力手段、２は情報表示手段、１０１は表示出力されるデータを記憶するＶＲＡＭ、１０２はプログラムを記憶する揮発性のメモリである主記憶装置、１０３はプログラムやデータを記憶しておく不揮発性のメモリである補助記憶装置、１０４は主記憶装置１０２に記憶されているプログラムを実行するＣＰＵ、５０は情報出力端子である。
【００２１】
先にも述べたように本ハードウェア構成は基本的に汎用の計算機システムと同じであり、補助記憶装置１０３に記憶されているプログラムは主記憶装置１０２にロードされてからＣＰＵ１０４によって実行される。
【００２２】
また、この情報転送装置は情報出力端子５０から接続ケーブル３００により外部機器２００に接続されている。
【００２３】
以上のように構成された情報転送装置の動作を図３のフローチャートを参照しながら説明する。本実施の形態では、音楽の曲名の検索を例に説明する。
【００２４】
（ステップＡ１）
まず、情報入力手段１から検索の条件を受け付ける。例えば、歌手名、曲名、年代あるいは「ロック」「ポップス」「演歌」などのジャンルなどによる検索条件をユーザが与える。具体的な例として、「年代」＝「９０年代」で「ジャンル」＝「ポップス」など、入力する。情報の入力に当たっては、情報表示手段２に図４で示すような画面を表示してもよい。
【００２５】
（ステップＡ２）
つぎに、検索エンジン４がデータベース３からステップＡ１で入力された検索条件に合致するデータを検索する。データベース３にはあらかじめ曲名のデータが記憶されており、歌手名、曲名、年代、ジャンル、歌詞などで検索が可能なような構成となっている。
【００２６】
（ステップＡ３）
次に、検索エンジン４によって検索されたデータを情報表示手段２に表示する。図５は検索結果表示の一例で、ステップＡ１で入力された検索条件に合致するデータの一覧を表示している。また、情報表示手段２の画面に表示しきれないほど多数のデータが検索された場合は、画面を切り替えたり、画面をスクロールさせたりするなどにより、そのほかのデータも表示が可能である。
【００２７】
（ステップＡ４、Ａ５）
ステップＡ３で表示されたデータの中にユーザが所望するものがない場合は、ユーザは検索条件を変更して再検索する。これは、情報入力手段１に「再検索要求」のボタンが備えられているか、情報表示手段２に「再検索要求」の選択メニューあるいは選択ボタンが表示され、それを情報入力手段１で選択することによって入力される。再検索が要求されると再び、ステップＡ２に戻る。
【００２８】
また、ステップＡ３で表示されたデータの中にユーザが所望するものがある場合は、ステップＡ５において所望の曲を選択する。選択方法は再検索要求の場合と同様である。
【００２９】
（ステップＡ６）
ステップＡ５で曲名を選択されると、データベース３から該当する曲の歌手、曲の演奏時間、歌詞など詳細なデータが呼び出され、情報表示手段２に表示される。
【００３０】
（ステップＡ７）
情報記憶手段５に記憶させる曲のデータがステップＡ６で表示された曲でよいかどうかをユーザが入力する。この曲でよい場合は次のステップに移り、この曲にしない場合はステップＡ３に戻る。
【００３１】
（ステップＡ８）
選択された曲のＩＤデータをデータベース３から読みだし、情報記憶手段５に記憶する。曲のＩＤデータは選択した曲を一意に特定するものである。例えば、カラオケで曲名を指定するための番号などである。
【００３２】
（ステップＡ９、Ａ１０）
ユーザによる情報記憶手段５に記憶している曲名のＩＤデータを接続ケーブル３００で接続された外部機器２００への転送の指示の入力を待つ。外部機器２００には例えばカラオケのリクエスト装置などがある。入力があれば曲名ＩＤデータを外部機器２００に転送して一連の処理を終了する。外部機器２００がカラオケリクエスト装置であればこの転送操作によって、曲のリクエストが可能となる。
【００３３】
以上のように、本実施の形態によれば、検索によってみつけたユーザの所望のデータを、そのまま外部機器に転送できるので、予約、登録などの操作が簡単に行うことが可能である。
【００３４】
なお、検索によって、情報記憶手段５にいったん記憶されたデータはステップＡ１０において外部機器２００に転送を完了した後も情報記憶手段５に記憶しておき、ステップＡ９以降の動作のみを繰り返すことが可能な構成にしてもよい。
【００３５】
また、本実施の形態では曲の検索は、歌手名、曲名、年代、ジャンル、歌詞などで行ったが、これに限らず、歌手名を「あいうえお」順で検索するなど、また曲名を「あいうえお」順で検索するなど、要するに曲が容易に検索出来る検索方法でありさえすればよい。
【００３６】
また、本実施の形態では曲名の検索を例に挙げたが、本発明は検索するデータを限定するものではなく、あらゆるデータの検索に適用可能であることはいうまでもない。
【００３７】
なお、本実施の形態の検索エンジンは本発明の検索手段の例であり、本実施の形態の情報出力手段は本発明の出力手段の例である。
【００３８】
（実施の形態２）
図６は、第２の発明の実施の一形態である情報転送システムのシステム構成図である。
【００３９】
これは図１ですでに説明した第１の発明の実施の形態のシステム構成図と同一の構成要素を含んでいるので、同一要素には図１と同一の番号を与えて以降簡略な説明にとどめる。
【００４０】
図６において、１は情報入力手段、２は情報表示手段、５は情報記憶手段、６は情報出力手段、１０は情報入力手段１によって入力された検索の条件を出力し、検索結果の情報を受信する端末通信手段で、２０はこれらをすべて具備している検索端末装置であり、一方、３はデータベース、４は検索エンジン、１１は端末装置からの検索の条件を受信し、検索結果を送信するサーバー通信手段で、２１はこれらをすべて具備している情報サーバー装置である。
【００４１】
また、５１は前記情報出力手段６を構成する赤外線発信手段で、６０は前記端末通信手段１０および前記サーバー通信手段１１を構成するネットワーク通信手段である。
【００４２】
以上のように構成されたシステムが実行されるハードウェア構成を図７に示す。
【００４３】
図７は検索端末装置２０、情報サーバー装置２１ともに基本的には汎用の計算機システムの構成と同じである。また、図６で示したシステムの構成部分と同一構成部分を含んでいるために、同一構成部分には同一番号を付して説明を省略する。
【００４４】
図７において、検索端末装置２０側は、１は情報入力手段、２は情報表示手段、１０１は表示出力されるデータを記憶するＶＲＡＭ、１０２はプログラムを記憶する揮発性のメモリである主記憶装置、１０３はプログラムやデータを記憶しておく不揮発性のメモリである補助記憶装置、１０４は主記憶装置１０２に記憶されているプログラムを実行するＣＰＵ、５１は赤外線発信手段６０はネットワーク通信手段である。また、情報サーバー装置２１側は、１０２はプログラムを記憶する揮発性のメモリである主記憶装置、１０３はプログラムやデータを記憶しておく不揮発性のメモリである補助記憶装置、１０４は主記憶装置１０２に記憶されているプログラムを実行するＣＰＵ、６０はネットワーク通信手段である。
【００４５】
検索端末装置２０と情報サーバー装置２１はネットワーク通信手段６０によって互いに通信している。ネットワーク通信手段６０には直接インターネット、イントラネットなどのケーブルが接続されている。
【００４６】
先にも述べたように本ハードウェア構成は基本的に汎用の計算機システムと同じであり、補助記憶装置１０３に記憶されているプログラムは主記憶装置１０２にロードされてからＣＰＵ１０４によって実行される。
【００４７】
また、この情報転送システムは赤外線発信手段５１から赤外線により外部機器２００に対して情報を送出する。
【００４８】
以上のように構成された情報転送システムの動作を図８のフローチャートを参照しながら説明する。この実施の一形態では、テレビ番組の検索を例に説明する。
【００４９】
（ステップＢ１）
まず、検索端末装置２０の情報入力手段１から検索の条件を受け付ける。例えば、チャンネル、番組名、出演者、あるいはジャンルなどによる検索条件をユーザが与える。具体的な例として、「出演者」＝「石原裕次郎」で「ジャンル」＝「ドラマ」などを入力する。情報の入力に当たっては、情報表示手段２に図９で示すような画面を表示してもよい。入力された検索条件はネットワーク通信手段６０によって、情報サーバー装置２１に送られる。
【００５０】
（ステップＢ２）
つぎに、情報サーバー装置２１において、検索エンジン４がデータベース３からステップＢ１で入力された検索条件に合致するデータを検索する。データベース３にはあらかじめ番組名のデータが記憶されており、チャンネル、番組名、出演者、ジャンルなどで検索が可能なような構成となっている。検索結果は再びネットワーク通信手段６０を介して、検索端末装置２０に送られる。
【００５１】
（ステップＢ３）
次に、検索端末装置２０側で、検索エンジン４によって検索されたデータを情報表示手段２に表示する。
【００５２】
図１０は検索結果表示の一例で、ステップＢ１で入力された検索条件に合致するデータの一覧を表示している。また、情報表示手段２の画面に表示しきれないほど多数のデータが検索された場合は、画面を切り替えたり、画面をスクロールしたりすることにより、そのほかのデータも表示が可能である。
【００５３】
（ステップＢ４、Ｂ５）
ステップＢ３で表示されたデータの中にユーザが所望のものがない場合は、ユーザは検索条件を変更して再検索する。これは、情報入力手段１に「再検索要求」のボタンが備えられているか、情報表示手段２に「再検索要求」を選択したり選択メニューあるいは選択ボタンが表示され、それを情報入力手段１で選択することによって入力される。再検索が要求されると再び、ステップＢ２に戻る。また、ステップＢ３で表示されたデータの中にユーザが所望のものがある場合は、ステップＢ５において所望のデータを選択する。選択方法は再検索要求の場合と同様である。
【００５４】
（ステップＢ６）
ステップＢ５で番組名を選択されると、再び情報サーバー装置２１のデータベース３から該当する番組のチャンネル、放送時間、など詳細なデータが呼び出され、情報表示手段２に表示される。番組の詳細情報については予め放送局から送られてくるＥＰＧ（電子番組ガイド）などから情報を入手し、データベースに格納しておくことも出来る。
【００５５】
（ステップＢ７）
情報記憶手段５に記憶させる番組のデータがステップＢ６で表示された番組でよいかどうかをユーザが入力する。この番組でよい場合は次のステップに移り、この番組にしない場合はステップＢ３に戻る。
【００５６】
（ステップＢ８）
選択された番組のＩＤデータを情報サーバー装置２１のデータベース３から読みだし、検索端末装置２０の情報記憶手段５に記憶する。番組のＩＤデータは選択した番組を一意に特定するものある。例えば、放送日時、チャンネルなどから構成されたデータ、あるいはＧコードと呼ばれる数字列などである。あるいはまたＶＰＳ（Ｖｉｄｅｏ　Ｐｒｏｇｒａｍｍｅ　Ｓｙｓｔｅｍ）またはＰＤＣ（Ｐｒｏｇｒａｍｍｅ　Ｄｅｌｉｖｅｒｙ　Ｃｏｎｔｒｏｌ）で用いられている番組ラベル（ＰＩＬ：Ｐｒｏｇｒａｍｍｅ　Ｉｄｅｎｔｉｔｙ　Ｌａｂｅｌ）を用いても番組を一意に特定出来る。
【００５７】
（ステップＢ９、Ｂ１０）
ユーザによる情報記憶手段５に記憶している番組名のＩＤデータを外部機器２００への転送の指示の入力を待つ。外部機器２００には例えばビデオなどがある。入力があれば番組ＩＤデータを外部機器２００に転送して一連の処理を終了する。外部機器２００がビデオならば、録画予約がこれで完了する。
【００５８】
なお、検索によって、情報記憶手段５にいったん記憶されたデータはステップＢ１０において外部機器２００に転送を完了した後も情報記憶手段５に記憶しておき、ステップＢ９以降の動作のみを繰り返すことが可能な構成にしてもよい。
【００５９】
また、本実施の形態では番組名の検索を例に挙げたが、本発明は検索するデータを限定するものではなく、あらゆるデータの検索に適用可能であることはいうまでもない。
【００６０】
なお、本実施の形態の検索エンジンは本発明の検索手段の例であり、本実施の形態の赤外線通信、超音波通信、無線通信などの情報出力手段は本発明の出力手段の例であり、本発明の供給装置は、本実施の形態のビデオに限らず、テレビジョン受像器やセットトップボックス（Ｓｅｔ　Ｔｏｐ　Ｂｏｘ：放送受信器、放送受信チューナー）でも構わない。
【００６１】
（実施の形態３）
図１１は、第３の発明の実施の一形態である情報転送システムのシステム構成図である。
【００６２】
これは図１および図６ですでに説明した第１および第２の発明の実施の形態のシステム構成図およびと同一の構成要素を含んでいるので、同一要素には図１および図６と同一の番号を与えて以降簡略な説明にとどめる。
【００６３】
図１１において、１は情報入力手段、２は情報表示手段、５は情報記憶手段、６は情報出力手段、１０は端末通信手段、で、２０はこれらをすべて具備している検索端末装置であり、一方、３はデータベース、４は検索エンジン、１１はサーバー通信手段で、２１はこれらをすべて具備している情報サーバー装置である。
【００６４】
また、５２は前記情報出力手段６を構成する電波発信手段で、６１は前記端末通信手段１０および前記サーバー通信手段１１を構成する公衆電話網通信手段である。
【００６５】
以上のように構成されたシステムが実行されるハードウェア構成を図１２に示す。図１２は検索端末装置２０、情報サーバー装置２１ともに基本的には汎用の計算機システムの構成と同じである。また、図１１で示したシステムの構成部分と同一構成部分を含んでいるために、同一構成部分には同一番号を付して説明を省略する。
【００６６】
図１２において、検索端末装置２０側は、１は情報入力手段、２は情報表示手段、１０１は表示出力されるデータを記憶するＶＲＡＭ、１０２はプログラムを記憶する揮発性のメモリである主記憶装置、１０３はプログラムやデータを記憶しておく不揮発性のメモリである補助記憶装置、１０４は主記憶装置１０２に記憶されているプログラムを実行するＣＰＵ、５２は電波発信手段６１は公衆電話網通信手段である。
【００６７】
また、情報サーバー装置２１側は、１０２はプログラムを記憶する揮発性のメモリである主記憶装置、１０３はプログラムやデータを記憶しておく不揮発性のメモリである補助記憶装置、１０４は主記憶装置１０２に記憶されているプログラムを実行するＣＰＵ、６１は公衆電話網通信手段である。検索端末装置２０と情報サーバー装置２１は公衆電話網通信手段６１によって互いに通信している。公衆電話網通信手段６１は、アナログ電話網、ＩＳＤＮ網、デジタル携帯電話網、ＰＨＳ網のいずれかの公衆電話網と接続しているかまたは複数種類の公衆電話網を経由して接続して通信を行っている。
【００６８】
先にも述べたように本ハードウェア構成は基本的に汎用の計算機システムと同じであり、補助記憶装置１０３に記憶されているプログラムは主記憶装置１０２にロードされてからＣＰＵ１０４によって実行される。
【００６９】
また、この情報転送装置は電波発信手段５２から電波により外部機器２００に対して情報を送出する。
【００７０】
以上のように構成された情報転送システムの動作をフローチャートを用いて説明する。本実施の形態は第２の実施の形態と類似の動作をするため、第２の実施の形態と同様、図８を参照しながら説明する。
【００７１】
本実施の形態では、デジタル携帯電話機によるホテルの検索を例に説明する。
【００７２】
（ステップＢ１）
まず、検索端末装置２０すなわちデジタル携帯電話機の情報入力手段１から検索の条件を受け付ける。例えば、所在地、タイプ、価格帯、あるいは駅からの距離、利用日などによる検索条件をユーザが与える。具体的な例として、「所在地」＝「大阪」で「価格帯」＝「１万円前後」など、入力する。情報の入力に当たっては、情報表示手段２に図１３で示すような画面を表示してもよい。
【００７３】
入力された検索条件は公衆電話網通信手段６１によって、情報サーバー装置２１に送られる。本実施の形態の場合公衆電話網としてデジタル携帯電話公衆電話網を利用する。
【００７４】
（ステップＢ２）
つぎに、情報サーバー装置２１において、検索エンジン４がデータベース３からステップＢ１で入力された検索条件に合致するデータを検索する。データベース３にはあらかじめホテルのデータが空き状況とともに記憶されており、所在地、タイプ、価格帯、駅からの距離、利用日などで検索が可能なような構成となっている。また、空き状況は一定の時間ごとに更新される。検索結果は再び公衆電話網通信手段６１を介して、検索端末装置２０に送られる。
【００７５】
（ステップＢ３）
次に、検索端末装置２０側で、検索エンジン４によって検索されたデータを情報表示手段２に表示する。
【００７６】
図１４は検索結果表示の一例で、ステップＢ１で入力された検索条件に合致し、空き部屋のあるホテルのデータの一覧を表示している。また、情報表示手段２の画面に表示しきれないほど多数のデータが検索された場合は、画面を切り替えたり画面をスクロールすることなどにより、そのほかのデータも表示が可能である。
【００７７】
（ステップＢ４、Ｂ５）
ステップＢ３で表示されたデータの中にユーザが所望のものがない場合は、ユーザは検索条件を変更して再検索する。これは、情報入力手段１に「再検索要求」のボタンが備えられているか、情報表示手段２に「再検索要求」を選択しあるいは選択ボタンあるいは選択メニューが表示され、それを情報入力手段１で選択することによって入力される。再検索が要求されると再び、ステップＢ２に戻る。
【００７８】
また、ステップＢ３で表示されたデータの中にユーザが所望のものがある場合は、ステップＢ５において所望のデータを選択する。選択方法は再検索要求の場合と同様である。
【００７９】
（ステップＢ６）
ステップＢ５でホテルを選択されると、再び情報サーバー装置２１のデータベース３から該当するホテルの所在地、価格帯、など詳細なデータが呼び出され、情報表示手段２に表示される。
【００８０】
（ステップＢ７）
情報記憶手段５に記憶させるホテルのデータがステップＢ６で表示されたホテルでよいかどうかをユーザが入力する。このホテルでよい場合は次のステップに移り、このホテルにしない場合はステップＢ３に戻る。
【００８１】
（ステップＢ８）
選択されたホテルのＩＤデータを情報サーバー装置２１のデータベース３から読みだし、検索端末装置２０の情報記憶手段５に記憶する。ホテルのＩＤデータはどのホテルのどのタイプの部屋をどの利用日に予約したかを一意に特定するものある。例えば、ホテルＩＤコードと予約ＩＤコードから構成される文字列などである。
【００８２】
（ステップＢ９、Ｂ１０）
ユーザによる情報記憶手段５に記憶しているホテルのＩＤデータを外部機器２００への転送の指示の入力を待つ。外部機器２００には例えばホテルのフロントにある予約を確認する端末などがある。ユーザから転送の入力があればホテルＩＤデータを外部機器２００に電波によって転送して一連の処理を終了する。ホテルのフロントの予約確認端末である外部機器２００が、転送された情報が正しい予約コードであれば、ユーザはチェックインができる。
【００８３】
またホテルの予約確認端末に直接携帯電話を装着することによって、出力手段がホテルの予約確認端末にホテルＩＤデータを出力することも出来る。あるいはまた携帯電話から予約確認端末に電話をかける等してもよい。
【００８４】
なお、本実施の一形態ではホテルの検索を例に挙げたが、本発明は検索するデータを限定するものではなく、あらゆるデータの検索に適用可能であることはいうまでもない。
【００８５】
また、通信を行うための公衆電話網としてデジタル携帯電話網を例に挙げたが、本発明は公衆電話網の種類を限定するものではなく、アナログ網、ＩＳＤＮ網、ＰＨＳ網などあらゆる公衆電話網に適用可能なものである。
【００８６】
なお、本実施の形態の検索エンジンは本発明の検索手段の例であり、本実施の形態の電波による通信、赤外線通信、リムーバブルメディアによる情報の伝達、端末装置の装着などにより情報の伝達を行う情報出力手段は本発明の出力手段の例である。要するに本発明の出力手段は、情報を供給装置に伝えられるものであればなんでもよい。本実施の形態の外部機器すなわちホテルのフロントの予約確認端末は本発明の供給装置の例である。
【００８７】
（実施の形態４）
図１５は、第４の発明の実施の一形態である情報転送システムのシステム構成図である。
【００８８】
これは図１および図６すでに説明した第１および第２の発明の実施の形態のシステム構成図およびと同一の構成要素を含んでいるので、同一要素には図１および図６と同一の番号を与えて以降簡略な説明にとどめる。
【００８９】
図１５において、１は情報入力手段、２は情報表示手段、５は情報記憶手段、６は情報出力手段、１０は端末通信手段、で、２０はこれらをすべて具備している検索端末装置であり、一方、３はデータベース、４は検索エンジン、１１はサーバー通信手段で、２１はこれらをすべて具備している情報サーバー装置である。
【００９０】
また、５３は前記情報出力手段６を構成するリムーバブルメディア書き込み手段でリムーバブルメディアに情報を書き込む働きをし、６２は前記端末通信手段１０および前記サーバー通信手段１１を構成する無線通信手段で公衆電話網をなどを介さずに直接端末とサーバーが電波によって通信を行うものである。
【００９１】
以上のように構成されたシステムが実行されるハードウェア構成を図１６に示す。
【００９２】
図１６は検索端末装置２０、情報サーバー装置２１ともに基本的には汎用の計算機システムの構成と同じである。また、図１５で示したシステムの構成部分と同一構成部分を含んでいるために、同一構成部分には同一番号を付して説明を省略する。
【００９３】
図１６において、検索端末装置２０側は、１は情報入力手段、２は情報表示手段、１０１は表示出力されるデータを記憶するＶＲＡＭ、１０２はプログラムを記憶する揮発性のメモリである主記憶装置、１０３はプログラムやデータを記憶しておく不揮発性のメモリである補助記憶装置、１０４は主記憶装置１０２に記憶されているプログラムを実行するＣＰＵ、５３はリムーバブルメディア書き込み手段６２は無線通信手段である。
【００９４】
また、情報サーバー装置２１側は、１０２はプログラムを記憶する揮発性のメモリである主記憶装置、１０３はプログラムやデータを記憶しておく不揮発性のメモリである補助記憶装置、１０４は主記憶装置１０２に記憶されているプログラムを実行するＣＰＵ、６２は無線通信手段である。検索端末装置２０と情報サーバー装置２１は無線通信手段６２によって互いに通信している。
【００９５】
先にも述べたように本ハードウェア構成は基本的に汎用の計算機システムと同じであり、補助記憶装置１０３に記憶されているプログラムは主記憶装置１０２にロードされてからＣＰＵ１０４によって実行される。
【００９６】
また、この情報転送装置はリムーバブルメディア書き込み手段５３がリムーバブルメディア３０２に情報を書き込み、外部機器２００は図示しないリムーバブルメディア読みとり手段から情報を読みとることにより、検索端末装置２０から外部機器２００に対して情報を伝達する。
【００９７】
以上のように構成された情報転送システムの動作をフローチャートを用いて説明する。本発明の実施の形態は第２実施の形態と類似の動作をするため、第２の実施の形態と同様、図８を参照しながら説明する。
【００９８】
本実施の形態では、無線端末機による鉄道のチケットの検索を例に説明する。
【００９９】
（ステップＢ１）
まず、検索端末装置２０の情報入力手段１から検索の条件を受け付ける。例えば、利用日、区間、利用列車、席種などによる検索条件をユーザが与える。具体的な例として、「利用日」＝「３月３日」で「区間」＝「大阪−富山」など、入力する。情報の入力に当たっては、情報表示手段２に図１７で示すような画面を表示してもよい。
【０１００】
入力された検索条件は無線通信手段６２によって、情報サーバー装置２１に送られる。
【０１０１】
（ステップＢ２）
つぎに、情報サーバー装置２１において、検索エンジン４がデータベース３からステップＢ１で入力された検索条件に合致するデータを検索する。データベース３にはあらかじめ列車のデータが空席状況とともに記憶されており、利用日、区間、発車時刻、席種などで検索が可能なような構成となっている。また、空席状況は一定の時間ごとに更新される。検索結果は再び無線通信手段６１を介して、検索端末装置２０に送られる。
【０１０２】
（ステップＢ３）
次に、検索端末装置２０側で、検索エンジン４によって検索されたデータを情報表示手段２に表示する。図１８は検索結果表示の一例で、ステップＢ１で入力された検索条件に合致し、空席のある列車のデータの一覧を表示している。また、情報表示手段２の画面に表示しきれないほど多数のデータが検索された場合は、画面を切り替えたり、画面をスクロールするなどにより、そのほかのデータも表示が可能である。
【０１０３】
（ステップＢ４、Ｂ５）
ステップＢ３で表示されたデータの中にユーザが所望のものがない場合は、ユーザは検索条件を変更して再検索する。これは、情報入力手段１に「再検索要求」のボタンが備えられているか、情報表示手段２に「再検索要求」を選択しあるい選択ボタンまたは選択メニューが表示され、「再検索要求」を選択しあるいは選択ボタンを選択し、それを情報入力手段１で選択することによって入力される。　再検索が要求されると再び、ステップＢ２に戻る。
【０１０４】
また、ステップＢ３で表示されたデータの中にユーザが所望のものがある場合は、ステップＢ５において所望のデータを選択する。選択方法は再検索要求の場合と同様である。
【０１０５】
（ステップＢ６）
ステップＢ５で列車を選択されると、再び情報サーバー装置２１のデータベース３から該当する列車の列車名、料金、発車時刻など詳細なデータが呼び出され、情報表示手段２に表示される。
【０１０６】
（ステップＢ７）
情報記憶手段５に記憶させる列車のデータがステップＢ６で表示された列車でよいかどうかをユーザが入力する。この列車でよい場合は次のステップに移り、この列車にしない場合はステップＢ３に戻る。
【０１０７】
（ステップＢ８）
選択された列車のＩＤデータを情報サーバー装置２１のデータベース３から読みだし、検索端末装置２０の情報記憶手段５に記憶する。列車のＩＤデータはどの列車のどの席をどの区間を予約したかを一意に特定するものある。
【０１０８】
（ステップＢ９、Ｂ１０）
ユーザによる情報記憶手段５に記憶している列車のＩＤデータをリムーバブルメディア３０２への転送の指示の入力を待つ。リムーバブルメディア３０２には磁気カード、ＩＣカード、フラッシュメモリ、フロッピィディスクなどがある。
【０１０９】
リムーバブルメディア３０２に列車ＩＤデータが転送されたら、ユーザはこのリムーバブルメディア３０２を持ち歩き、外部機器２００である駅の券売機のリムーバブルメディア読みとり手段にリムーバブルメディア３０２に記憶されている列車ＩＤデータが正しいデータであれば、ユーザ予約した列車の切符が発券される。
【０１１０】
なお、本実施の一形態では列車の検索を例に挙げたが、本発明は検索するデータを限定するものではなく、あらゆるデータの検索に適用可能であることはいうまでもない。
【０１１１】
なお、第１の発明の実施の一形態の情報転送装置においては、情報出力手段６として情報出力端子５０の場合について説明したが、第２、第３および第４の実施の形態で用いた、赤外線発信手段５１、または電波発信手段５２、あるいはリムーバブルメディア書き込み手段５３のいずれを情報出力手段６に用いてもよい。
【０１１２】
また、第２、第３、第４の実施の形態の情報転送システムにおいても、情報出力手段６として、同様に情報出力端子５０、赤外線発信手段５１、または電波発信手段５２、あるいはリムーバブルメディア書き込み手段５３のいずれを用いてもよい。
【０１１３】
また、第２、第３、第４の実施の形態の情報転送システムにおいては、端末通信手段１０として、ネットワーク通信手段６０、無線通信手段６１、無線通信手段６２のいずれも用いてもよい。
【０１１４】
また、第２、第３、第４の発明の実施の形態の情報転送システムにおいては、端末通信手段１０として、図１９に示すように赤外線通信手段６３を用いてもよい。
【０１１５】
なお、本実施の形態の検索エンジンは本発明の検索手段の例であり、本実施の形態の情報出力手段は本発明の出力手段の例であり、本実施の形態の接続ケーブルを経由した通信、赤外線通信、無線通信、リムーバルメディアによるデータの伝達は本実施の形態の情報出力手段で用いられる通信方法であり、また本実施の形態の駅の券売機である外部の機器は本発明の供給装置の例である。
【０１１６】
（実施の形態５）
図２０は、第５の発明の実施の形態である情報転送システムのシステム構成図である。これは図１および図６ですでに説明した第１および第２の発明の実施の形態のシステム構成図およびと同一の構成要素を含んでいるので、同一要素には図１および図６と同一の番号を与えて以降簡略な説明にとどめる。
【０１１７】
図２０において、１は情報入力手段、２は情報表示手段、５は情報記憶手段、６は情報出力手段、１０は端末通信手段、３０は検索に用いる感性情報を入力する感性情報入力手段、で、２０はこれらをすべて具備している検索端末装置であり、一方、３はデータベース、１１はサーバー通信手段、３１は前記データベース３の記憶しているデータについての感性データを記憶した感性データベース、３２は感性検索の検索条件からデータを検索する感性検索エンジンであり、２１はこれらをすべて具備している情報サーバー装置である。また、５２は前記情報出力手段６を構成する電波発信手段で、６１は前記端末通信手段１０および前記サーバー通信手段１１を構成する公衆電話網通信手段である。
【０１１８】
以上のように構成されたシステムが実行されるハードウェア構成を図２１に示す。図２１は検索端末装置２０、情報サーバー装置２１ともに基本的には汎用の計算機システムの構成と同じである。また、図２０で示したシステムの構成部分と同一構成部分を含んでいるために、同一構成部分には同一番号を付して説明を省略する。
【０１１９】
図２１において、検索端末装置２０側は、１は情報入力手段、３０は感性情報入力手段、２は情報表示手段、１０１は表示出力されるデータを記憶するＶＲＡＭ、１０２はプログラムを記憶する揮発性のメモリである主記憶装置、１０３はプログラムやデータを記憶しておく不揮発性のメモリである補助記憶装置、１０４は主記憶装置１０２に記憶されているプログラムを実行するＣＰＵ、５２は電波発信手段、６１は公衆電話網通信手段である。また、情報サーバー装置２１側は、１０２はプログラムを記憶する揮発性のメモリである主記憶装置、１０３はプログラムやデータを記憶しておく不揮発性のメモリである補助記憶装置、１０４は主記憶装置１０２に記憶されているプログラムを実行するＣＰＵ、６１は公衆電話網通信手段である。検索端末装置２０と情報サーバー装置２１は公衆電話網通信手段６１によって互いに通信している。公衆電話網通信手段６１は、アナログ電話網、ＩＳＤＮ網、デジタル携帯電話網、ＰＨＳ網のいずれかの公衆電話網と接続して通信を行ったり、あるいはこれら複数個の回線網を経由して通信をおこなっている。
【０１２０】
先にも述べたように本ハードウェア構成は基本的に汎用の計算機システムと同じであり、補助記憶装置１０３に記憶されているプログラムは主記憶装置１０２にロードされてからＣＰＵ１０４によって実行される。
【０１２１】
また、この情報転送装置は電波発信手段５２から電波により外部機器２００に対して情報を送出する。
【０１２２】
以上のように構成された情報転送システムの動作を図２２のフローチャートを用いて説明する。
【０１２３】
この実施の一形態では、デジタル携帯電話機による映画の検索を例に説明する。
【０１２４】
（ステップＣ１）
まず、検索端末装置２０すなわちデジタル携帯電話機の感性情報入力手段３０から検索の条件を受け付ける。例えば、「楽しい」「どきどきする」など映画を評価する形容詞あるいは形容動詞が検索条件となる。図２３は検索条件を入力する画面の一例で、あらかじめ用意された形容詞、形容動詞群よりユーザが検索条件に指定したいものを１つ以上選択する。例えば感性情報入力手段３０により「わくわくする」と「あかるい」を選択する。
【０１２５】
ここでは、あらかじめ提示された語群から選択する例を説明したが、形容詞や形容動詞自体を感性情報入力手段３０によって入力してもよい。
【０１２６】
また、形容詞や形容動詞を選択後、図２４に示すように、選択した語群についてどの程度当てはまるものであるのかの度合いを入力させてもよい。図２４では図２３において「わくわくする」と「あかるい」がすでに選択された場合で、それぞれの言葉がどのくらいの度合いで当てはまるものかを入力する。例えば、「すこしわくわくする」程度であれば１を「とてもわくわくする」ものであれば５を入力し、その中間的な度合いは２から４のうち適当なものを入力する。「あかるい」についても同様である。
【０１２７】
以上の操作により検索条件が言葉とその度合いによって入力される。以降の説明では、検索条件として「わくわくする＝３」「あかるい＝５」が検索条件であるとして説明を進める。
【０１２８】
（ステップＣ２）
つぎに、情報サーバー装置２１において、感性検索エンジン３２が感性データベース３１からステップＣ１で入力された検索条件に合致する感性データを検索する。感性データベース３１にはデータベース３に記憶されている映画のデータすべてについての感性評価値が記憶されている。例えば、「映画Ａ」は「わくわくする＝４」「あかるい＝１」「おもしろい＝３」などのようにである。感性検索エンジン３２により検索条件に最もよく合致するものからいくつかの映画を抽出する。
【０１２９】
（ステップＣ３）
つぎに、ステップＣ２で抽出された映画について、出演者、上映場所、上映時間、席の空き状況などをデータベース３に照会する。データベース３にはあらかじめ映画の出演者、上映場所などのデータが空き状況とともに記憶されており、空き状況は一定の時間ごとに更新される。データベース３に照会されたデータは検索結果として再び公衆電話網通信手段６１を介して、検索端末装置２０に送られる。
【０１３０】
（ステップＣ４）
次に、検索端末装置２０側で、感性検索エンジン３２によって検索されたデータを情報表示手段２に表示する。
【０１３１】
図２５は検索結果表示の一例で、ステップＣ１で入力された検索条件に合致し、空席のある映画のデータの一覧を表示している。また、情報表示手段２の画面に表示しきれないほど多数のデータが検索された場合は、画面を切り替えたり、画面をスクロールしたりするなどにより、そのほかのデータも表示が可能である。
【０１３２】
（ステップＣ５、Ｃ６）
ステップＣ４で表示されたデータの中にユーザが所望のものがない場合は、ユーザは検索条件を変更して再検索する。これは、情報入力手段１に「再検索要求」のボタンが備えられているかまたは選択メニューが表示され、情報表示手段２に「再検索要求」を選択しあるいは選択メニューを選択し、それを情報入力手段１で選択することによって入力される。再検索が要求されると再び、ステップＣ２に戻る。
【０１３３】
また、ステップＣ４で表示されたデータの中にユーザが所望のものがある場合は、ステップＣ６において所望のデータを選択する。選択方法は再検索要求の場合と同様である。
【０１３４】
（ステップＣ７）
ステップＣ６で映画を選択されると、再び情報サーバー装置２１のデータベース３から該当する映画の上映館、上映時間、など詳細なデータが呼び出され、情報表示手段２に表示される。
【０１３５】
（ステップＣ８）
情報記憶手段５に記憶させる映画のデータがステップＣ７で表示されたホテルでよいかどうかをユーザが入力する。このホテルでよい場合は次のステップに移り、このホテルにしない場合はステップＣ４に戻る。
【０１３６】
（ステップＣ９）
選択された映画のＩＤデータを情報サーバー装置２１のデータベース３から読みだし、検索端末装置２０の情報記憶手段５に記憶する。映画のＩＤデータはどの映画館のどの上演のどの席を予約したかを一意に特定するものある。
【０１３７】
（ステップＣ１０、Ｃ１１）
ユーザによる情報記憶手段５に記憶している映画のＩＤデータを外部機器２００への転送の指示の入力を待つ。外部機器２００には例えば映画館のチケットカウンターにある予約を確認する端末などがある。ユーザから転送の入力があれば映画ＩＤデータを外部機器２００に電波によって転送して一連の処理を終了する。映画館のチケットカウンターの予約確認端末である外部機器２００が、転送された情報が正しい予約コードであれば、ユーザは予約席を利用することができる。
【０１３８】
なお、本実施の形態では映画の検索を例に挙げたが、本発明は検索するデータを限定するものではなく、あらゆるデータの検索に適用可能であることはいうまでもない。
【０１３９】
すなわち、表１は検索の目的と、供給装置の種々の組み合わせを示す。
【０１４０】
【表１】
2004054927.tif 000003
【０１４１】
表１において、テレビの番組を予約することを目的とする場合は、供給装置はＶＴＲであり、その動作は予約動作となる。また、単にテレビ番組を視聴するだけを目的とする場合は、供給装置はテレビ、パソコン又はセットトップボックスであり、その動作はスイッチオンとなる。また、上述したようにカラオケ選曲が目的なら、供給装置はカラオケ装置であり、その動作は予約あるいは演奏開始動作となる。
【０１４２】
また、映画、列車、飛行機などのチケットの予約が目的なら、供給装置は所望のチケットを発行するチケット発券機であり、その動作はチケット発行となる。また、映画などの予約の場合でチケットを発行しない場合は、供給装置は、映画館の入門ゲートであり、その動作は開く動作となる。
【０１４３】
また、通信を行うための公衆電話網としてデジタル携帯電話網を例に挙げたが、本発明は公衆電話網の種類を限定するものではなく、アナログ網、ＩＳＤＮ網、ＰＨＳ網などあらゆる公衆電話網に適用可能なものである。
【０１４４】
なお、第１から第４の実施の形態のいずれにおいても、感性情報入力手段３０、感性データベース３１および感性検索エンジン３２を付加することにより、形容詞や形容動詞によって情報を検索し、転送する情報転送装置および情報転送システムを構成することが可能となる。
【０１４５】
なお、本実施の形態の感性検索エンジンは本発明の検索手段の例であり、本実施の形態の情報出力手段は本発明の出力手段の例であり、本実施の形態の公衆電話網に限らず、接続ケーブルを経由した通信、赤外線通信、無線通信、リムーバルメディアなども本実施の形態の情報出力手段で使用可能である。また本実施の形態の外部機器である映画館のチケットカウンターの予約確認端末は本発明の供給装置の例である。
【０１４６】
なお、本発明の端末装置または情報転送システムまたは供給装置の各構成要素の機能を専用のハードウェアを用いて実現しても構わないし、コンピュータのプログラムによってソフトウェア的に実現しても構わない。
【０１４７】
また、本発明の情報転送装置または端末装置の各構成要素の全部または一部の機能をコンピュータに実行させるためのプログラム、データを記録し、コンピュータで読みとり可能であり、読み取られたプログラムおよび／またはデータがコンピュータと協動して前記機能を実行することを特徴とするプログラム記録媒体も本発明に属する。
【０１４８】
【発明の効果】
以上説明したところから明らかなように、本発明はデータベースから情報を検索し、その検索結果をそのまま接続ケーブルで接続された供給装置に転送し、外部機器の動作を指示することができる端末装置を提供することが出来る。
【０１４９】
また、本発明は、端末装置からはネットワークで結ばれた情報サーバ装置内のデータベースから情報を検索し、その検索結果をそのまま赤外線によって供給装置に転送し、供給装置の動作を指示することが出来る端末装置を提供することが出来る。
【０１５０】
また、本発明は、検索端末装置からは公衆電話網で結ばれた情報サーバ装置内のデータベースから情報を検索し、その検索結果をそのまま電波によって供給装置に転送することが出来る情報転送システム及び端末システムを提供することが出来る。
【０１５１】
また、本発明は、端末装置からは無線通信あるいは赤外線通信で結ばれた情報サーバ装置内のデータベースから情報を検索し、その検索結果をそのままリムーバブルメディアによって外部機器に転送することが出来る情報転送システム及び端末システムを提供することが出来る。
【０１５２】
また、本発明は、形容詞、形容動詞などの言葉によって、検索端末装置からは公衆電話網で結ばれた情報サーバ装置内のデータベースから情報を検索し、その検索結果をそのまま電波によって供給装置に転送し、供給装置の動作を指示することが出来る情報転送システム及び端末システムを提供することが出来る。
【図面の簡単な説明】
【図１】第１の本発明の実施の形態のシステム構成図
【図２】第１の本発明の実施の形態のハードウェア構成図
【図３】第１の本発明の実施の形態の動作のフローチャート図
【図４】第１の本発明の実施の形態の検索条件の入力画面を示す図
【図５】第１の本発明の実施の形態の検索結果の出力画面を示す図
【図６】第２の本発明の実施の形態のシステム構成図
【図７】第２の本発明の実施の形態のハードウェア構成図
【図８】第２の本発明の実施の形態の動作のフローチャート図
【図９】第２の本発明の実施の形態の検索条件の入力画面を示す図
【図１０】第２の本発明の実施の形態の検索結果の出力画面を示す図
【図１１】第３の本発明の実施の形態のシステム構成図
【図１２】第３の本発明の実施の形態のハードウェア構成図
【図１３】第３の本発明の実施の形態の検索条件の入力画面を示す図
【図１４】第３の本発明の実施の形態の検索結果の出力画面を示す図
【図１５】第４の本発明の実施の形態のシステム構成図
【図１６】第４の本発明の実施の形態のハードウェア構成図
【図１７】第４の本発明の実施の形態の検索条件の入力画面
【図１８】第４の本発明の実施の形態の検索結果の出力画面を示す図
【図１９】第４の本発明の実施の形態の別のシステム構成図
【図２０】第５の本発明の実施の形態のシステム構成図
【図２１】第５の本発明の実施の形態のハードウェア構成図
【図２２】第５の本発明の実施の形態の動作のフローチャート図
【図２３】第５の本発明の実施の形態の検索条件の入力画面を示す図
【図２４】第５の本発明の実施の形態の検索条件の入力画面を示す図
【図２５】第５の本発明の実施の形態の検索結果の出力画面を示す図
【符号の説明】
１　…　情報入力手段
２　…　情報表示手段
３　…　データベース
４　…　検索エンジン
５　…　情報記憶手段
６　…　情報出力手段
１０　…　端末通信手段
１１　…　サーバー通信手段
２０　…　検索端末装置
２１　…　情報サーバー装置
３０　…　感性情報入力手段
３１　…　感性データベース
３２　…　感性検索エンジン
５０　…　情報出力端子
５１　…　赤外線発信手段
５２　…　電波発信手段
５３　…　リムーバブルメディア書き込み手段
６０　…　ネットワーク通信手段
６１　…　公衆電話網通信手段
６２　…　無線通信手段
６３　…　赤外線通信手段
１０１　…　ＶＲＡＭ
１０２　…　主記憶装置
１０３　…　補助記憶装置
１０４　…　ＣＰＵ
２００　…　外部機器
３００　…　接続ケーブル
３０１　…　公衆電話網
３０２　…　リムーバブルメディア
３０３　…　電波
３０４　…　赤外線
【図１】
2004054927.tif 000004
【図２】
2004054927.tif 000005
【図３】
2004054927.tif 000006
【図４】
2004054927.tif 000007
【図５】
2004054927.tif 000008
【図６】
2004054927.tif 000009
【図７】
2004054927.tif 000010
【図８】
2004054927.tif 000011
【図９】
2004054927.tif 000012
【図１０】
2004054927.tif 000013
【図１１】
2004054927.tif 000014
【図１２】
2004054927.tif 000015
【図１３】
2004054927.tif 000016
【図１４】
2004054927.tif 000017
【図１５】
2004054927.tif 000018
【図１６】
2004054927.tif 000019
【図１７】
2004054927.tif 000020
【図１８】
2004054927.tif 000021
【図１９】
2004054927.tif 000022
【図２０】
2004054927.tif 000023
【図２１】
2004054927.tif 000024
【図２２】
2004054927.tif 000025
【図２３】
2004054927.tif 000026
【図２４】
2004054927.tif 000027
【図２５】
2004054927.tif 000028